(57)【特許請求の範囲】
【請求項１】
コンデンサ・コアと、
陽極バスバーと、
前記陽極バスバーと重ね合わせられると共に、前記陽極バスバーから絶縁されている陰極バスバーと、
前記陽極バスバーに接続されている第一電極端子と、
前記陰極バスバーに接続されている第二電極端子と、
前記陽極バスバーに接続され、前記コンデンサ・コアに接続されている第一接続端子を形成する第一接続シートと、
前記第一接続シートに対向し、前記陰極バスバーに接続され、前記コンデンサ・コアに接続されている第二接続端子を形成する第二接続シートとを含み、
前記コンデンサ・コアは、前記第一接続シートと前記第二接続シートとの間に配置され、
前記第一接続シート、前記第一接続端子、及び前記陽極バスバーは、一体的に形成され、
前記第二接続シート、前記第二接続端子、及び前記陰極バスバーは、一体的に形成され、
前記第一接続シートの周辺縁部に配置され、互いに間隔を空けられた、複数の前記第一接続端子が設けられると共に、
前記第二接続シートの周辺縁部に配置され、互いに間隔を空けられた、複数の前記第二接続端子が設けられ、
前記陽極バスバーと前記陰極バスバーとの間に位置している絶縁シートを更に含み、
前記絶縁シートは、Ｌ字形を有し、短突出部及び長突出部を含み、
前記陽極バスバーは、前記絶縁シートの前記長突出部の外面に配置され、
前記陰極バスバーは、前記絶縁シートの前記長突出部の内面に配置され、
前記陽極バスバーは、前記絶縁シートの前記短突出部の外面に延ばされた第一延長部を含み、
前記第一電極端子は、前記第一延長部に接続され、
前記絶縁シートの前記短突出部は、前記第二接続シートの一部を露出させるように構成されると共に、前記第一延長部に隣接している、切り欠き部を画定し、
前記第二電極端子は、前記切り欠き部から露出した前記第二接続シートの一部に接続されている
ことを特徴とする、薄膜コンデンサ。
【請求項２】
ケーシングを更に含み、
前記コンデンサ・コアと、前記陽極バスバーと、前記陰極バスバーと、前記第一接続シートと、前記第二接続シートとが、前記ケーシングの内部に配置され、ポッティング絶縁体によって封止されていることを特徴とする、請求項１に記載の薄膜コンデンサ。
【請求項３】
複数の第一電極端子及び複数の第二電極端子が電極端子の複数のペアを形成するように設けられ、前記第一電極端子は、それぞれのペアの中の前記第二電極端子に隣接していることを特徴とする、請求項１又は２に記載の薄膜コンデンサ。
【請求項４】
前記第二電極端子は、前記第二接続シートを介して前記陰極バスバーに接続されていることを特徴とする、請求項１〜３のいずれか１項に記載の薄膜コンデンサ。
【請求項５】
前記第二接続シートは、前記絶縁シートの前記短突出部の内面に延ばされると共に、前記第一延長部に隣接している、第二延長部を含み、
前記第二電極端子は、前記第二延長部に接続されていることを特徴とする、請求項１に記載の薄膜コンデンサ。
【請求項６】
前記第一延長部及び前記陽極バスバーは、一体的に形成され、前記第二延長部及び前記第二接続シートは、一体的に形成されていることを特徴とする、請求項５に記載の薄膜コンデンサ。
【請求項７】
前記第一接続シートは、前記短突出部から離れている前記陽極バスバーの自由端部の縁部から延ばされ、前記第二接続シートは、前記短突出部に隣接している前記陰極バスバーの自由端部の縁部から延ばされていることを特徴とする、請求項１に記載の薄膜コンデンサ。
【請求項８】
前記第一接続シートは、前記陽極バスバーに対して垂直に接続され、
前記第二接続シートは、前記陰極バスバーに対して垂直に接続され、
前記コンデンサ・コアの軸が前記陽極バスバー及び前記陰極バスバーと平行になるように配列されていることを特徴とする、請求項１〜７のいずれか１項に記載の薄膜コンデンサ。
【発明の詳細な説明】
【技術分野】
【０００１】
本開示は、コンデンサに関し、より詳しくは、薄膜コンデンサに関する。
【背景技術】
【０００２】
例えば、金属化薄膜コンデンサなどの薄膜コンデンサは、低損失性、高電圧耐性、良好な温度特性、及び、良好な周波数特性などの特性を有する。
【０００３】
中国特許第１７１４４１５号明細書は、金属化薄膜コンデンサを開示する。金属化薄膜コンデンサの２つのバスは、コンデンサ・コアに接続され、コンデンサ・コアの両側に対向して配置されている。中国実用新案第２０２３８４１７８号明細書は、内部積層バスバーを有するコンデンサ構造を開示する。コンデンサ構造の第一及び第二のバスバーは、Ｌ字形を有し、第一及び第二のバスバーの底部は、共に重ね合わせられている。２つのバスバーの側壁部は、互いに対向し、溶接部が設けられ、溶接部は、それぞれコンデンサ・コアと溶接されている。前述のコンデンサでは、バスバーの側壁の設計に起因して、コンデンサ・コアの大きさ及び個数が非常に制限されている。
【発明の概要】
【発明が解決しようとする課題】
【０００４】
本開示は、上記課題のうちの少なくとも１つをある程度解決することを目的とする。
【課題を解決するための手段】
【０００５】
従って、薄膜コンデンサが本開示により提供され、この薄膜コンデンサは、組み立てるのが容易であり、高い組立効率及び品質と、低製造コストとを有する。
【０００６】
本開示の実施形態による薄膜コンデンサは、
コンデンサ・コアと、
陽極バスバーと、
前記陽極バスバーと重ね合わせられると共に、前記陽極バスバーから絶縁されている陰極バスバーと、
前記陽極バスバーに接続されている第一電極端子と、
前記陰極バスバーに接続されている第二電極端子と、
前記陽極バスバーに接続され、前記コンデンサ・コアに接続されている第一接続端子を形成する第一接続シートと、
前記第一接続シートに対向し、前記陰極バスバーに接続され、前記コンデンサ・コアに接続されている第二接続端子を形成する第二接続シートとを含み、
前記コンデンサ・コアは、前記第一接続シートと前記第二接続シートとの間に配置され、
前記第一接続シート、前記第一接続端子、及び前記陽極バスバーは、一体的に形成され、
前記第二接続シート、前記第二接続端子、及び前記陰極バスバーは、一体的に形成されている。
【０００７】
本開示の実施形態による薄膜コンデンサによれば、陽極バスバー及び陰極バスバーがケーシングの内部に配置され、陽極バスバーに接続されている第一接続シート、及び、陰極バスバーに接続されている第二接続シートがそれぞれコンデンサ・コアの両端部に置かれている構造が設けられることで、第一接続シート及び第二接続シートは、溶接方式でコンデンサ・コアに直接的に接続されることができ、このことは、溶接自動化に都合が良く、製品品質及び製造効率を効果的に改善し、コストを削減する。
【０００８】
一部の実施形態では、薄膜コンデンサは、ケーシングを更に含み、コンデンサ・コアと、陽極バスバーと、陰極バスバーと、第一接続シートと、第二接続シートとは、前記ケーシングの内部に配置され、ポッティング絶縁体によって封止されている。
【０００９】
一部の実施形態では、薄膜コンデンサは、陽極バスバーと陰極バスバーとの間に位置している絶縁シートを更に含む。
【００１０】
一部の実施形態では、第一接続シートの周辺縁部に配置され、互いに間隔を空けられた、複数の第一接続端子が設けられ、また、第二接続シートの周辺縁部に配置され、互いに間隔を空けられた、複数の第二接続端子が設けられている。
【００１１】
一部の実施形態では、第一電極端子は、リベット、又は、ねじによって陽極バスバーに接続され、第二電極端子は、リベット、又は、ねじによって陰極バスバーに接続されている。
【００１２】
一部の実施形態では、複数の第一電極端子及び複数の第二電極端子が、電極端子の複数のペアを形成するように設けられ、第一電極端子は、それぞれのペアにおいて、第二電極端子に隣接している。
【００１３】
一部の実施形態では、第二電極端子は、第二接続シートを介して陰極バスバーに接続されている。
【００１４】
一部の実施形態では、絶縁シートは、Ｌ字形を有すると共に、短突出部及び長突出部を含み、陽極バスバーは、絶縁シートの長突出部の外面に配置され、陰極バスバーは、絶縁シートの長突出部の内面に配置されている。
【００１５】
一部の実施形態では、陽極バスバーは、絶縁シートの短突出部の外面に延ばされた第一延長部を含み、第一電極端子は、第一延長部に接続され、第二接続シートは、絶縁シートの短突出部の外面に延ばされ、第一延長部に隣接している、第二延長部を含み、第二電極端子は、第二延長部に接続されている。
【００１６】
一部の実施形態では、第一延長部及び陽極バスバーは、一体的に形成され、第二延長部及び第二接続シートは、一体的に形成されている。
【００１７】
一部の実施形態では、陽極バスバーは、絶縁シートの短突出部の外面に延ばされた第一延長部を含み、第一電極端子は、第一延長部に接続され、絶縁シートの短突出部は、第二接続シートの一部を露出させると共に、第一延長部に隣接して構成された切り欠き部を画定し、第二電極端子は、切り欠き部から露出した第二接続シートの一部に接続されている。
【００１８】
一部の実施形態では、第一接続シートは、短突出部から離れている陽極バスバーの自由端部の縁部から延ばされ、第二接続シートは、短突出部に隣接している陰極バスバーの自由端部の縁部から延ばされている。
【００１９】
一部の実施形態では、第一接続シートは、第二接続シートと平行である。
【００２０】
一部の実施形態では、陽極バスバー、陰極バスバー、第一接続シート、及び第二接続シートの各々は、矩形形状を有する。
【００２１】
一部の実施形態では、陽極バスバーの長さ方向に互いに間隔を空けられて複数の第一接続シートが設けられ、陰極バスバーの長さ方向に互いに間隔を空けられて複数の第二接続シートが設けられている。
【００２２】
一部の実施形態では、第一接続シートは、陽極バスバーに垂直に接続され、第二接続シートは、陰極バスバーに垂直に接続され、コンデンサ・コアの軸が陽極バスバー及び陰極バスバーと平行になるように配列されている。
【００２３】
本開示の実施形態の更なる態様及び利点は、以下の説明中に部分的に与えられ、以下の説明から部分的に明らかになり、又は、本開示の実施形態の実施から得られるであろう。
【００２４】
本開示の実施形態のこれらの及びその他の態様と利点は、添付図面を参照した以下の説明から明らかになり、より容易に認識されるであろう。
【図面の簡単な説明】
【００２５】
【図１】本開示の実施形態による薄膜コンデンサの概略図である。
【図２】本開示の実施形態による陽極バスバー及び陰極バスバーの概略図である。
【図３】本開示の実施形態による薄膜コンデンサの部分概略図である。
【図４】図２に示された、本開示の実施形態による陽極バスバー及び陰極バスバーの平面図である。
【図５】図２に示された、本開示の実施形態による陽極バスバー及び陰極バスバーの正面図である。
【図６】図２に示された、本開示の実施形態による陽極バスバー及び陰極バスバーの側面図である。
【発明を実施するための形態】
【００２６】
同一又は類似の要素と同一又は類似の機能を有する要素とが、説明の全体を通して同様の符号によって示されることで、本開示の実施形態を詳細に言及される。図面を参照して本書に記載された実施形態は、説明的であり、説明のための例示であり、本開示を大まかに理解するために使用される。実施形態は、本開示を限定するように解釈されるべきではない。
【００２７】
明細書において、「長さ」、「幅」、「厚さ」、「上」、「下」、「前」、「後」、「左」、「右」、「垂直」、「水平」、「頂部」、「底部」、「内側」、及び「外側」などの用語は、そのとき記載されたとおり、又は、検討中の図面の中に示されたとおりの向きのことを指すように解釈されるべきであることが理解されるべきである。これらの相対的な用語は、説明の便宜を図るためであり、本開示が特別な向きに構成又は動作させることを必要としないので、本開示を限定するように解釈されるべきではない。加えて、「第一」及び「第二」などの用語は、説明の目的のため本文書において使用され、相対的な重要性若しくは有意性を指示若しくは示唆すること、又は、指示された技術的特徴の個数を示唆することが意図されていない。従って、「第一」及び「第二」を使って定義された特徴は、この特徴のうちの１つ以上を含むことがある。本開示の説明において、「複数の」は、特に断らない限り、少なくとも２つ、例えば、２つ、３つなどを意味する。
【００２８】
本開示の説明中、理解されるべきことは、特に断らない又は限定されない限り、「取り付けられた」、「支持された」、「接続された」、及び「結合された」といった用語、並びに、これらのバリエーションの用語は、広範に使用され、例えば、機械的又は電気的な取り付け、接続、及び結合などを包含し、２つのコンポーネントの内部取り付け、接続、及び結合ともなり得るし、更に、直接的及び間接的な取り付け、接続、及び結合ともなり得るものであり、これらは、本開示の詳細な実施形態に従って当業者によって理解され得る、ということである。
【００２９】
本開示の実施形態による薄膜コンデンサ１００が図面を参照して記述される。
【００３０】
図１から図６に示されるように、薄膜コンデンサ１００は、電気自動車で用いられることができ、ケーシング１０と、複数のコンデンサ・コア５０と、陽極バスバー２０と、陰極バスバー３０と、陽極バスバー２０に接続されている第一電極端子２１と、陰極バスバー３０に接続されている第二電極端子３１と、第一接続シート２２と、第二接続シート３２とを含む。
【００３１】
具体的には、複数のコンデンサ・コア５０と、陽極バスバー２０と、陰極バスバー３０と、第一接続シート２２と、第二接続シート３２とは、ケーシング１０の内部に配置され、ポッティング絶縁体によって封止され、陽極バスバー２０及び陰極バスバー３０は、共に重ね合わせられ、絶縁シート４０が陽極バスバー２０と陰極バスバー３０との間に設けられている。第一接続シート２２と第二接続シート３２とは、互いに対向し、コンデンサ・コア５０は、第一接続シート２２と第二接続シート３２との間に配置され、第一接続シート２２は、陽極バスバー２０に接続され、コンデンサ・コア５０に接続されている第一接続端子２２１を形成し、第二接続シート３２は、陰極バスバー３０に接続され、コンデンサ・コア５０に接続されている第二接続端子３２１を形成している。
【００３２】
つまり、図１に示されるように、陽極バスバー２０と、絶縁シート４０と、陰極バスバー３０とは、共に重ね合わせられ、絶縁シート４０は、陽極バスバー２０と陰極バスバー３０との間に設けられ、陽極バスバー２０と陰極バスバー３０とを互いに絶縁させる。第一接続シート２２は、陽極バスバー２０の縁部に垂直に接続されていてもよく、第二接続シート３２は、陰極バスバー３０の縁部に垂直に接続されていてもよい。コンデンサ・コア５０は、第一接続シート２２と第二接続シート３２との間に配置されている。すなわち、陽極バスバー２０と、陰極バスバー３０と、絶縁シート４０とは、全てコンデンサ・コア５０の側面に配置されている。
【００３３】
陽極バスバー２０は、第一電極端子２１を形成し、陰極バスバー３０は、第二電極端子３１を形成する。第一電極端子２１及び第二電極端子３１は、それぞれ絶縁ゲートバイポーラトランジスタ（ＩＧＢＴ）の接続端子に接続されている。第一接続シート２２は、第一接続端子２２１を形成し、第一接続端子２２１は、コンデンサ・コア５０の第一端部と溶接されている。第二接続シート３２は、第二接続端子３２１を形成し、第二接続端子３２１は、コンデンサ・コア５０の第二端部と溶接されている。
【００３４】
その結果、本開示の実施形態による薄膜コンデンサ１００によれば、陽極バスバー２０及び陰極バスバー３０は、ケーシング１０の内部に配置され、陽極バスバー２０に接続されている第一接続シート２２及び陰極バスバー３０に接続されている第二接続シート３２は、それぞれコンデンサ・コア５０の両端部に設置される。第一接続シート２２及び第二接続シート３２は、溶接方式でコンデンサ・コア５０に直接的に接続してもよく、このことは、溶接自動化に都合が良く、製品品質及び製造効率を効果的に改善し、コストを削減する。陰極バスバー３０と、陽極バスバー２０と、絶縁シート４０とは、全てコンデンサ・コア５０の側面に位置し、このことは、第一電極端子２１とＩＧＢＴの接続端子との間、及び、第二電極端子３１とＩＧＢＴの接続端子との間のインダクタンスを、効果的に低減し得る。
【００３５】
本開示の実施形態によれば、第一接続シート２２と第一接続端子２２１と陽極バスバー２０とは、一体的に形成され、第二接続シート３２と第二接続端子３２１と陰極バスバー３０とは、一体的に形成されている。
【００３６】
つまり、第一接続シート２２は、陽極バスバー２０の一部であり、陽極バスバー２０に対して垂直に、陽極バスバー２０の縁部から外向きに延ばされ、第一接続端子２２１は、第一接続シート２２の一部であり、第一接続シート２２から外向きに延ばされている。第二接続シート３２は、陰極バスバー３０の一部であり、陰極バスバー３０に対して垂直に、陰極バスバー３０の縁部から外向きに延ばされ、第二接続端子３２１は、第二接続シート３２の一部であり、第二接続シート３２から外向きに延ばされている。従って、この構造を有する薄膜コンデンサ１００は、構造全体の安定性が確保され、成形すること及び組み立てることがより容易であり、このことは、製造コストを更に削減する。
【００３７】
図２及び図３に示されるように、本開示の実施形態によれば、第一接続シート２２の周辺縁部に配置され、互いに間隔を空けられた、複数の第一接続端子２２１が設けられている。また、第二接続シート３２の周辺縁部に配置され、互いに間隔を空けられた、複数の第二接続端子３２１が設けられている。
【００３８】
つまり、複数の第一接続端子２２１が第一接続シート２２の周辺縁部に配置され、複数の第二接続端子３２１が第二接続シート３２の周辺縁部に配置されている。複数の第一接続端子２２１は、第一接続シート２２の周辺縁部で互いに間隔を空けられ、複数の第二接続端子３２１は、第二接続シート３２の周辺縁部で互いに間隔を空けられている。第一接続端子２２１及び第二接続端子３２１のそれぞれの個数は、コンデンサ・コア５０の個数に対応するものとしてもよい。第一接続シート２２上の第一接続端子２２１の配列位置は、第二接続シート３２上の第二接続端子３２１の配列位置と同一でもよいので、各コンデンサ・コア５０の両端部は、対応する第一接続端子２２１と第二接続端子３２１とに接続されることができる。
【００３９】
本開示の一部の実施形態では、第一電極端子２１は、リベット、又は、ねじによって陽極バスバー２０に接続され、第二電極端子３１は、リベット、又は、ねじによって陰極バスバー３０に接続されている。すなわち、第一電極端子２１及び第二電極端子３１は、リベット、又は、ねじによってそれぞれ陽極バスバー２０及び陰極バスバー３０に接続されることがある。従って、この接続方式は、単純かつ実現可能であり、動作させるのに都合が良い。
【００４０】
複数のコンデンサ・コア５０が設けられたとき、陽極バスバー２０及び陰極バスバー３０は、それぞれ複数の第一電極端子２１及び複数の第二電極端子３１を介してＩＧＢＴに接続されるものとしてもよい。代替的に、図２に示されるように、本開示の実施形態によれば、電極端子の複数のペアを形成するように、複数の第一電極端子２１及び複数の第二電極端子３１が設けられ、それぞれのペアにおいて、第一電極端子２１は第二電極端子３１に隣接している。
【００４１】
具体的には、陽極バスバー２０は、その長さ方向に複数の第一電極端子２１が設けられ、陰極バスバー３０は、その長さ方向に複数の第二電極端子３１が設けられ、２つの隣接する電極端子のそれぞれ、すなわち、第一電極端子２１と、第一電極端子２１に隣接して配列された第二電極端子３１とがペアを形成し、第一電極端子２１及び第二電極端子３１の３組のペアが、陽極バスバー２０及び陰極バスバー３０の長さ方向に薄膜コンデンサ１００の全体に設けられている。従って、陽極バスバー２０及び陰極バスバー３０は、それぞれ複数の第一電極端子２１及び複数の第二電極端子３１を介してＩＧＢＴに接続され、このことは、第一電極端子２１及び第二電極端子３１のインダクタンスを更に低減する。
【００４２】
本開示のその他の実施形態では、第一電極端子２１は、陽極バスバー２０に接続され、第二電極端子３１は、第二接続シート３２を介して陰極バスバー３０に接続されている。
【００４３】
つまり、第一接続シート２２及び陽極バスバー２０は、一体的に形成されるものとしてもよく、第一接続シート２２は、陽極バスバー２０の一部を曲げることにより形成され、第一電極端子２１は、陽極バスバー２０に接続されている。同様に、第二接続シート３２及び陰極バスバー３０は、一体的に形成されるものとしてもよく、第二接続シート３２は、陰極バスバー３０の一部を曲げることにより形成される。第二電極端子３１は、陰極バスバー３０との接続を行うために第二接続シート３２に接続されている。その結果、この構造を有する第一電極端子２１及び第二電極端子３１は、陽極バスバー２０及び陰極バスバー３０との接続を更に単純化し、このようにして、生産効率を改善するように組立手順を更に単純化する。
【００４４】
本開示の実施形態による薄膜コンデンサ１００の各部品の構造は、以下に詳述される。
【００４５】
図２に示されるように、本開示の実施形態によれば、絶縁シート４０は、Ｌ字形を有し、短突出部４１及び長突出部４２を含む。陽極バスバー２０は、絶縁シート４０の長突出部４２の外面に配置され、陰極バスバー３０は、絶縁シート４０の長突出部４２の内面に配置されている。絶縁シート４０の外面は、コンデンサ・コア５０の側面から外方に向かう絶縁シート４０の壁面に対応し、絶縁シート４０の内面は、コンデンサ・コア５０の側面の方に向かう絶縁シート４０の壁面に対応することが理解されるべきである。
【００４６】
本開示の一部の具体的な実施形態では、陽極バスバー２０は、絶縁シート４０の短突出部４１の外面に延ばされた第一延長部２３を含み、第一電極端子２１は、第一延長部２３に接続されている。第二接続シート３２は、絶縁シート４０の短突出部４１の外面に延ばされ、第一延長部２３に隣接している、第二延長部を含み、第二電極端子３１は、第二延長部に接続されている。更に、第一接続シート２２は、短突出部４１から離れている陽極バスバー２０の自由端部の縁部から延ばされ、第二接続シート３２は、短突出部４１に隣接している陰極バスバー３０の自由端部の縁部から延ばされている。
【００４７】
好ましくは、本開示の実施形態によれば、第一延長部２３及び陽極バスバー２０は、一体的に形成され、第二延長部及び第二接続シート３２は、一体的に形成されている。つまり、第一延長部２３は、陽極バスバー２０の一部を延ばすことにより形成され、第二延長部は、第二接続シート３２の一部を延ばすことにより形成されている。
【００４８】
つまり、第一接続シート２２は、陽極バスバー２０の後縁部に配置され、陽極バスバー２０に対して垂直であり、第一延長部２３は、陽極バスバー２０の前縁部に配置され、陽極バスバー２０に対して垂直である。第一延長部２３は、絶縁シート４０の短突出部４１の外面に取り付けられている。第一電極端子２１は、第一延長部２３に接続されている。
【００４９】
第二接続シート３２は、陰極バスバー３０の前縁部に配置され、陰極バスバー３０に対して垂直である。第二接続シート３２は、絶縁シート４０の短突出部４１の後方に配置され、第二接続シート３２の少なくとも一部は、第二延長部を形成するように絶縁シート４０の上面を越えて上向きに延ばされている。第二電極端子３１は、第二延長部に接続されている。従って、絶縁シート４０は、第一接続端子２２１及び第二接続端子３２１がそれぞれ陽極バスバー２０及び陰極バスバー３０に接続されるのに都合が良いように合理的な構造を有している。
【００５０】
図１に示されるように、本開示のその他の具体的な実施形態では、陽極バスバー２０は、絶縁シート４０の短突出部４１の外面に延ばされた第一延長部２３を含み、第一電極端子２１は、第一延長部２３に接続されている。絶縁シート４０の短突出部４１は、第二接続シート３２の一部を露出させるように構成されると共に、第一延長部２３に隣接した、切り欠き部３２２を有し、第二電極端子３１は、切り欠き部３２２から露出された第二接続シート３２の一部に接続されている。
【００５１】
つまり、第一接続シート２２は、陽極バスバー２０の後縁部に配置され、陽極バスバー２０に対して垂直であり、第一延長部２３は、陽極バスバー２０の前縁部に配置され、陽極バスバー２０に対して垂直である。第一延長部２３は、絶縁シート４０の短突出部４１の外面に取り付けられている。第一電極端子２１は、第一延長部２３に接続されている。
【００５２】
第二接続シート３２は、陰極バスバー３０の前縁部に配置され、陰極バスバー３０に対して垂直である。第二接続シート３２は、絶縁シート４０の短突出部４１の後方に配置されている。絶縁シート４０の短突出部４１は、第二接続シート３２の一部を露出させるように構成されると共に、第一延長部２３に隣接している、切り欠き部３２２を有するので、第二電極端子３１は、対応する第一電極端子２１に隣接して配列されることができる。このように、絶縁シート４０の短突出部４１に切り欠き部３２２を設けることにより、第二電極端子３１と陰極バスバー３０との間の接続のためにより一層都合が良く、このことは、薄膜コンデンサ１００の組立プロセスを更に単純化し、組立効率を改善する。
【００５３】
薄膜コンデンサ１００の各部品の形状は、これを使用することが必要とされる環境に基づいて合理的に調整されるものとしてもよい。代替的に、陽極バスバー２０、陰極バスバー３０、第一接続シート２２、及び第二接続シート３２の各々は、矩形形状である。更に、複数の第一接続シート２２が、陽極バスバー２０の長さ方向に互いに間隔を空けられて設けられ、複数の第二接続シート３２が、陰極バスバー３０の長さ方向に互いに間隔を空けられて設けられている。
【００５４】
本開示の実施形態による薄膜コンデンサ１００のその他の構造及び動作は、当業者に知られているので、ここでは詳述されない。
【００５５】
本明細書全体を通して、「一実施形態」、「一部の実施形態」、「実施形態」、「具体的な例」、又は「一部の例」への言及は、実施形態又は例に関連して記載された特有の特徴、構造、材料、又は特性が本開示の少なくとも１つの実施形態又は例に含まれていることを意味する。従って、本明細書全体を通して様々な箇所におけるこれらの言い回しの出現は、必ずしも本開示の同一の実施形態又は例に言及するものではない。その上に、特有の特徴、構造、材料、又は特性は、１つ以上の実施形態又は例において何らかの適切な方法で組み合わされることがある。
【００５６】
説明のための実施形態が図示され、かつ記載されているが、前述の実施形態は、説明的であることと、本開示を制限するように解釈され得ないことと、変更形態、代替形態、及び修正形態が当業者によって本開示の範囲から逸脱することなく実施形態において行われ得ることとが認められるであろう。
【符号の説明】
【００５７】
１００          ：  薄膜コンデンサ
１０          ：  ケーシング
２０          ：  陽極バスバー
２１          ：  第一電極端子
２２          ：  第一接続シート
２２１          ：  第一接続端子
２３          ：  第一延長部
３０          ：  陰極バスバー
３１          ：  第二電極端子
３２          ：  第二接続シート
３２１          ：  第二接続端子
３２２          ：  切り欠き部
４０          ：  絶縁シート
４１          ：  短突出部
４２          ：  長突出部
５０          ：  コンデンサ・コア
【図１】
0006517936.tif 000002
【図２】
0006517936.tif 000003
【図３】
0006517936.tif 000004
【図４】
0006517936.tif 000005
【図５】
0006517936.tif 000006
【図６】
0006517936.tif 000007